(57)【要約】  【課題】断熱内扉の商品搬出口に配備された商品搬出扉の板厚を厚くすることなく、空気層を封入した中空構造として形成することにより、高い断熱性を得て熱伝達経路として庫外と庫内の間で出入する熱損失を低く抑えること。  【解決手段】押出機１１から押し出された筒状のパリソン６１の先端を塞ぐパリソン閉塞機構２１と、先端を塞がれたパリソン６１内へ気体を注入しながらさらに所定の長さまで押出機から押し出す気体注入機構３１と、パリソン６１の塞いだ部分を外側にはみ出させた状態でパリソン６１を金型４１で挟み込み、パリソン６１内に閉じ込めた気体で内圧を掛けて、金型４１のキャビティを形成する内面形状をパリソン６１へ転写するブロー成形によって空気層７ｄを封入した中空構造の商品搬出扉７０を形成したことによって、商品搬出扉７０の材料費と重量の低減を図り、高い断熱性を得ることができる。【選択図】図３
2007102679.tif 000002
【特許請求の範囲】
【請求項１】
断熱筐体の本体ケースの庫内に商品をコールドまたはホット商品として収納する商品収納ラック、商品搬出シュータを配置し、前記本体ケース前面を閉塞する断熱内扉に形成された商品搬出口に商品搬出扉を備えた自動販売機において、前記商品搬出扉の成形工程として、押出機から押し出された筒状のパリソンの先端をパリソンピンチで塞ぐパリソン閉塞工程と、先端を塞がれた前記パリソン内へ気体を注入しながら前記パリソンをさらに所定の長さまで前記押出機から押し出す気体注入・押出工程と、前記パリソンの塞いだ部分を外側にはみ出させた状態で前記パリソンを金型で挟み込み、前記パリソン内に閉じ込めた前記気体で内圧を掛けて前記金型のキャビティを形成する内面形状を前記パリソンへ転写する成形工程を備え、ブロー成形により中空構造の扉として形成したことを特徴とする自動販売機。
【請求項２】
成形工程で、相対向する２つの分割金型と前記分割金型内を移動する枠駆動機構を備え、成形時、前記枠駆動機構の枠体によってパリソンを挟み込む方向に前記分割金型から突出させ、その後、前記分割金型によって前記パリソンの両端部を挟み込み、ブロー成形による圧力によって前記枠体を前記分割金型内に移動させながら中空構造の商品搬出扉を形成したことを特徴とする請求項１に記載の自動販売機。
【請求項３】
商品搬出扉に形成した中空構造の外周部に周縁部を設けて商品搬出口縁と当接することを特徴とする請求項１または請求項２に記載の自動販売機。
【請求項４】
周縁部の下辺部は他の辺に比べて下方に拡幅して延在したことを特徴とする請求項３に記載の自動販売機。
【請求項５】
周縁部の下辺部に切欠き部を形成したことを特徴とする請求項３または請求項４に記載の自動販売機。
【請求項６】
切欠き部の角部は先端を円弧形状としたことを特徴とする請求項５に記載の自動販売機。
【請求項７】
商品搬出扉の周縁部の少なくとも下辺部にシール部材を設けたことを特徴とする請求項３から請求項６のいずれか一項に記載の自動販売機。
【発明の詳細な説明】
【技術分野】
【０００１】
本発明は、缶，びん，ペットボトル入り商品をコールドないしホット商品として販売する自動販売機に関し、詳しくは省エネルギーの向上を狙いとした自動販売機の構造に係わる。
【背景技術】
【０００２】
まず、サーペンタイン式商品収納ラックを搭載した自動販売機を対象に、その従来構成を図１７と図１８に示す。図において、１は前面が開口され断熱筐体として形成された本体ケース、２は本体ケース１に片開き式に配設されてその前面開口を開閉する外扉、３は本体ケース１の庫内前面を覆う断熱内扉で、本体ケース１の庫内にはサーペンタイン式商品収納ラック４，商品搬出シュータ５および冷却／加熱ユニット６が設置されている。
【０００３】
商品搬出シュータ５はその板面に多数の導風穴が開口しており、また冷却／加熱ユニット６は、風洞内に冷却器（冷凍機のエバポレータ）６ａ，電熱ヒータ６ｂを内蔵し、その前面に庫内ファン６ｃを組合せて構成され、本体ケース１の庫内背面側に設けた吸込ダクト８に連ねて庫内底部に設置されている。
【０００４】
断熱内扉３には商品搬出シュータ５から外扉２に設けた商品取出口２ａに通じる商品搬出口８を塞ぐように板厚数ｍｍ程度のプラスチックにより形成されたフラップ式の商品搬出扉７が配設されている。この商品搬出扉７は、図１９、図２０に示すように、前面壁７ａと、この前面壁７ａの左右両側に形成された側面壁７ｂおよび上端の左右に形成された軸部７ｃとからなり、軸部７ｃを商品搬出口８の枠に軸支して揺動可能に取付けられる。
【０００５】
なお、本体ケース１の庫内は仕切壁（不図示）により左右に並ぶ複数の商品収納室に分割され、各商品収納室ごとにサーペンタイン式商品収納ラック４，商品搬出シュータ５および冷却／加熱ユニット６が配設され、そして、各商品収納室に対応してフラップ式の商品搬出扉７を備えた商品搬出口８が断熱内扉３に形成されている。
【０００６】
かかる構成において、商品収納室ごとに販売モードがコールドまたはホットに設定され、冷却／加熱ユニット６がコールド／ホットの販売設定に合わせて冷却器６ａ，電熱ヒータ６ｂのいずれかを選択して運転される。これにより、冷却器６ａまたは電熱ヒータ６ｂで冷却ないし加熱された庫内空気が庫内ファン６ｃにより前方に吹出し、その冷気流または暖気流は図示矢印のように上方に方向転換して庫内空間を通風し、庫内の背面側から吸込ダクト９を経て再び冷却／加熱ユニット６に戻るように循環送風される。そして、この冷気流または暖気流（以下「循環空気流」と称する）との熱交換によりサーペンタイン式商品収納ラック４に収納した商品１０を保冷または加温する。このとき、断熱内扉３の商品搬出口に設けられた商品搬出扉７は商品搬出口８から庫内の冷気，暖気が庫外に漏出するのを防止するように常時閉塞している。
【０００７】
サーペンタイン式商品収納ラック４の各コラムには商品１０が図示のように収納されており、販売指令に基づいて選択されたベンド機構（不図示）が作動すると、そのコラムの最下位に並ぶ商品が下方に払出された後に商品搬出シュータ５の斜面に沿って転動し、商品搬出扉７を押し開いて商品取出口２ａに搬出される。商品収納ラック４から払出された商品が商品搬出シュータ５を転動して商品取出口２ａに搬出される過程で該商品により押し開かれた商品搬出扉７は商品が通過した後自重で復帰して商品搬出口８を閉塞する。
【０００８】
ところで、従来の自動販売機におけるサーペンタイン式商品収納ラック４は最下位の商品から払出すように構成されており、このため、冷却／加熱ユニット６（庫内ファン６ｃ）から吹き出された循環空気流により商品収納ラック４に収納された下部領域の商品から冷却，加温されるように構成されている。したがって、庫内を通風する循環空気流は、図１７、図１８で示すように、冷却／加熱ユニット６（庫内ファン６ｃ）から、商品搬出シュータ５の導風穴を通過し、上方に向きを変えて庫内を通風して商品収納ラック４に収納した商品を保冷，加温するが、この循環通風の過程で循環空気流の一部は庫内の商品搬出シュータ５から商品取出口２ａに通じる箇所に配した商品搬出扉７の扉面に当たって向きを変える。このとき、商品搬出扉７の扉面に当たって向きを変える循環空気流は、冷却／加熱ユニット６で冷却または加熱されるとともに庫内ファン６ｃによって吹出される吹出し直後の空気であるために、扉内外の温度差が最も大きくなる。しかも、従来の商品搬出扉７は商品１０の搬出動作を阻害しないように軽量，薄肉なフラッパ板で作られていので断熱性が低く、この商品搬出扉７を熱伝達経路として庫外と庫内の間で出入する熱量も大きくなる。したがって、商品搬出扉７を通じて庫内と庫外との間に出入する熱量が多くなり、それだけ冷却／加熱ユニット６の熱負荷が増大して自動販売機のランニングコストが増大する。
【０００９】
この改善例として、図１９、図２０に示すように、例えば特許文献１に記載されたものがあり、商品搬出扉７をガスアシスト成形により空気層７ｄを封入した中空構造として形成することにより高い断熱性を得ようとする例として提案されている。
【特許文献１】特開２００３−３０８５６３号公報
【発明の開示】
【発明が解決しようとする課題】
【００１０】
しかしながら、先述のようにフラップ式の商品搬出扉７は板厚数ｍｍ程度のプラスチックにより形成されており、一般的に全体の厚みは２〜５ｍｍ程度で形成される。
【００１１】
これをガスアシスト成形にて製作する場合は、空気層７ｄの厚みｔは材料射出後にガスを注入する注入口幅以上の厚みにしなければならなくなる。そこで、全体の厚みを２〜５ｍｍ程度にするためには、注入口幅をいかに小さくするかが商品搬出扉７の厚みを薄くするための条件となるが、注入口の複雑化、金型の複雑化を招く。
【００１２】
またブロー成形にて製作する場合は、公知のようにブロー成形はエアーピンを製品に刺してエアーを送り込み製品を膨らませる工法である。しかし厚さが２〜５ｍｍ程度のため、仮にエアーピン（この場合、注射針のようなもの）を刺しても製品を打ち抜いてしまうか、ピンが折れてしまう。これは、商品搬出扉７の樹脂材料がポリカーボネート等の非常に硬い樹脂の場合ではなおさらである。
【００１３】
そこで、商品搬出扉７自身全体の厚みを２〜５ｍｍ程度ではなくもっと厚くして成形することもできるが、この場合には商品搬出扉７自身の重量が増してしまうので、軽量な商品１０では扉を開くことができなくなるという搬出不良を招くおそれがあることから実用的ではない。
【００１４】
本発明は上記の点に鑑みなされたものであり、その目的は、商品搬出扉７の板厚を厚くすることなく空気層７ｄを封入した中空構造として形成することにより高い断熱性を得て、庫内への熱侵入を低減して高い省エネルギー効果が得られるように改良した自動販売機を提供することを目的とする。
【課題を解決するための手段】
【００１５】
前記従来の課題を解決するために、本発明の自動販売機は、庫内前面を閉塞する断熱内扉に形成された商品搬出口に常閉の商品搬出扉を備えたものにおいて、前記商品搬出扉を、押出機から押し出された筒状のパリソンの先端をパリソンピンチで塞ぐパリソン閉塞工程と、先端を塞がれた前記パリソン内へ気体を注入しながら前記パリソンをさらに所定の長さまで前記押出機から押し出す気体注入・押出工程と、前記パリソンの塞いだ部分を外側にはみ出させた状態で前記パリソンを金型で挟み込み、前記パリソン内に閉じ込めた前記気体で内圧を掛けて前記金型のキャビティを形成する内面形状を前記パリソンへ転写する成形工程とを備えるブロー成形によって中空構造の扉として形成したものである。
【００１６】
これによって、商品搬出扉の板厚を厚くすることなく空気層を封入した中空構造として形成することができるので材料費と重量の低減を図り、高い断熱性を得ることができる。
【発明の効果】
【００１７】
本発明の自動販売機は、断熱内扉の商品搬出口に配置した商品搬出扉を、空気層を封入または真空層とした中空構造としたことにより、扉自身の重量を殆ど増加させることなく高い断熱性を確保でき、冷却／加熱ユニットから前方に吹出した冷気流または暖気流が商品搬出扉に当ってもこの商品搬出扉を熱伝達経路として庫外と庫内の間で出入する熱損失を低く抑えることが可能となり、それだけ冷却／加熱ユニットの熱負荷を減少して自動販売機のランニングコストを抑えることができる。
【００１８】
また、周縁部が商品搬出口縁と当接するので商品搬出口の閉塞封止性が向上し、商品搬出扉周端部分を熱伝達経路として庫外と庫内の間で出入する熱損失を低く抑えることが可能となり、それだけ冷却／加熱ユニットの熱負荷を減少して自動販売機のランニングコストを抑えることができる。
【００１９】
さらには、下辺の縁は他の辺に比べて下方に拡幅して延在したので、商品搬出部から手をこじ入れて商品収納室内部をいたずらされることを防ぐ。
【００２０】
さらには、下辺の縁に切欠き部を形成したので、商品収納室内部をいたずらされることを防ぐ必要の無い部分については、商品の視認性を向上させることができる。
【００２１】
さらには、下辺の縁に形成した切欠き部の角部分は先端を円弧形状としたので、商品搬出扉自身をいたずらされても切欠き部の角部分からの破損を防止することが出きる。
【００２２】
さらには、商品搬出扉と商品搬出口との当接面の平面度が悪化しても商品搬出扉の周縁部の少なくとも下辺部に設けたシール部材の圧縮封止効果により商品搬出扉と商品搬出口との封止性を一層高めることができるので、商品搬出扉周端部分を熱伝達経路として庫外と庫内の間で出入する熱損失を低く抑えることが可能となり、それだけ冷却／加熱ユニット６の熱負荷を減少して自動販売機のランニングコストを抑えることができる。
【発明を実施するための最良の形態】
【００２３】
請求項１に記載の発明は、断熱筐体の本体ケースの庫内に商品をコールドまたはホット商品として収納する商品収納ラック、商品搬出シュータを配置し、前記本体ケース前面を閉塞する断熱内扉に形成された商品搬出口に商品搬出扉を備えた自動販売機において、前記商品搬出扉の成形工程として、押出機から押し出された筒状のパリソンの先端をパリソンピンチで塞ぐパリソン閉塞工程と、先端を塞がれた前記パリソン内へ気体を注入しながら前記パリソンをさらに所定の長さまで前記押出機から押し出す気体注入・押出工程と、前記パリソンの塞いだ部分を外側にはみ出させた状態で前記パリソンを金型で挟み込み、前記パリソン内に閉じ込めた前記気体で内圧を掛けて前記金型のキャビティを形成する内面形状を前記パリソンへ転写する成形工程を備え、ブロー成形により中空構造の扉として形成したことにより、扉自身の重量を殆ど増加させることなく高い断熱性を確保でき、冷却／加熱ユニットから前方に吹出した冷気流または暖気流が商品搬出扉に当ってもこの商品搬出扉を熱伝達経路として庫外と庫内の間で出入する熱損失を低く抑えることが可能となり、それだけ冷却／加熱ユニット６の熱負荷を減少して自動販売機のランニングコストを抑えることができる。
【００２４】
請求項２に記載の発明は、請求項１に記載の発明において、成形工程で、相対向する２つの分割金型と前記分割金型内を移動する枠駆動機構を備え、成形時、前記枠駆動機構の枠体によってパリソンを挟み込む方向に前記分割金型から突出させ、その後、前記分割金型によって前記パリソンの両端部を挟み込み、ブロー成形による圧力によって前記枠体を前記分割金型内に移動させながら中空構造の商品搬出扉を形成したことにより、商品搬出扉の板厚を厚くすることなく空気層を封入または真空層とした中空構造としたことにより、扉自身の重量を殆ど増加させることなく高い断熱性を確保でき、冷却／加熱ユニットから前方に吹出した冷気流または暖気流が商品搬出扉に当ってもこの商品搬出扉を熱伝達経路として庫外と庫内の間で出入する熱損失を低く抑えることが可能となり、それだけ冷却／加熱ユニット６の熱負荷を減少して自動販売機のランニングコストを抑えることができる。
【００２５】
請求項３に記載の発明は、請求項１または請求項２に記載の発明において、商品搬出扉に形成した中空構造の外周部に周縁部を備えたことにより、商品搬出口への当接封止面積が増大し、商品搬出口の閉塞封止性が向上し、商品搬出扉周端部分を熱伝達経路として庫外と庫内の間で出入する熱損失を低く抑えることが可能となり、それだけ冷却／加熱ユニット６の熱負荷を減少して自動販売機のランニングコストを抑えることができる。
【００２６】
請求項４に記載の発明は、請求項３に記載の発明において、周縁部の下辺部は他の辺に比べて下方に拡幅して延在したので、いたずら時に手の商品収納室内部への侵入可能な距離を短くすることにより商品搬出部から手をこじ入れて商品収納室内部をいたずらされることを防ぐ。
【００２７】
請求項５に記載の発明は、請求項３または請求項４に記載の発明において、周縁部の下辺部に切欠き部を形成したので、商品収納室内部をいたずらされることを防ぐ必要の無い部分については、販売商品の隠蔽性をなくす。
【００２８】
請求項６に記載の発明は、請求項５に記載の発明において、切欠き部の角部は先端を円弧形状としたので、商品搬出扉自身をいたずらされても切欠き部の角部分の応力集中を避けることができ、商品搬出扉自身をいたずらされても切欠き部の角部分からの破損を防止する。
【００２９】
請求項７に記載の発明は、請求項３から請求項６のいずれか一項に記載の発明において、商品搬出扉の周縁部の少なくとも下辺部にシール部材を設けたので、商品搬出扉と商品搬出口との当接面の平面度が悪化しても商品搬出扉の縁に設けたシール部材（たとえばパッキン等）の圧縮封止効果を得るので、商品搬出扉と商品搬出口との封止性を一層高めることができるので、商品搬出扉周端部分を熱伝達経路として庫外と庫内の間で出入する熱損失を低く抑えることが可能となり、それだけ冷却／加熱ユニット６の熱負荷を減少して自動販売機のランニングコストを抑えることができる。
【００３０】
以下、本発明の実施の形態について、図面を参照しながら説明する。なお、この実施の形態によって本発明が限定されるものではない。
【００３１】
（実施の形態１）
以下、本発明の実施の形態１を図１に示す実施例に基づいて説明する。なお、この実施例の図中に対応する部材には同じ符号を付してその詳細な説明は省略する。
【００３２】
図１は本発明の実施対象となる自動販売機の庫内構成側面断面図で、図２は本発明の実施対象となる自動販売機の庫内構成正面断面図である。
【００３３】
図１、図２において、外箱ａの内部に断熱筐体として形成された本体ケース１を備え、本体ケース１には片開き式その前面開口を開閉する外扉２を配設して、本体ケース１の庫内前面は断熱内扉３で覆い、本体ケース１の庫内にはサーペンタイン式商品収納ラック４，商品搬出シュータ５および冷却／加熱ユニット６が設置されている。商品搬出シュータ５はその板面に多数の導風穴が開口しており、また冷却／加熱ユニット６は、風洞内に冷却器（冷凍機のエバポレータ）６ａ，電熱ヒータ６ｂを内蔵し、その前面に庫内ファン６ｃを組合せて構成され、本体ケース１の庫内背面側に設けた吸込ダクト９に連ねて庫内底部に設置されていて、商品１０を適温にして販売する構成となっている。
【００３４】
断熱内扉３には商品搬出シュータ５から外扉２に設けた商品取出口２ａに通じる商品搬出口８を塞ぐように板厚数ｍｍ程度のプラスチックにより形成されたフラップ式の商品搬出扉７０が配設されている。なお、本体ケース１の庫内は仕切壁（不図示）により左右に並ぶ複数の商品収納室に分割され、各商品収納室ごとにサーペンタイン式商品収納ラック４，商品搬出シュータ５および冷却／加熱ユニット６が配設され、そして、各商品収納室に対応してフラップ式の商品搬出扉７０を備えた商品搬出口８が断熱内扉３に形成されている。
【００３５】
図３は本発明の実施の形態１の商品搬出扉の斜視図で、図４は本発明の実施の形態１の商品搬出扉の断面図である。商品搬出扉７０は、図３、図４に示すように、この商品搬出扉７０はブロー成形により中空部７１が形成され、この中空部７１に空気が封入されている。
【００３６】
この商品搬出扉７０は、前面壁７ａと、この前面壁７ａの左右両側に形成された側面壁７ｂおよび上端の左右に形成された軸部７ｃとからなり、軸部７ｃを商品搬出口８の枠に軸支して揺動可能に取付けられる。
【００３７】
ここで中空部７１の成形方法について説明する。
【００３８】
図５は本発明の実施の形態１の一実施例を得るためのブロー成形装置の概略構成図、図６は本発明の実施の形態１のパリソン押出工程図、図７は本発明の実施の形態１のパリソン閉塞工程図、図８は本発明の実施の形態１のパリソン気体注入工程図、図９は本発明の実施の形態１のパリソン成形工程図、図１０は本発明の実施の形態１のパリソン成形時の枠駆動機構動作図、図１１は本発明の実施の形態１のパリソン成形時の分割金型動作図である。
【００３９】
これらの図において、１１は押出機を示し、加熱溶融させた熱可塑性樹脂を筒状、例えば、円筒状のパリソン６１として押し出すものである。
【００４０】
２１はパリソン閉塞機構を示し、押出機１１の筐体に回動可能に取り付けられ、押出機１１から押し出された円筒状のパリソン６１の先端を塞ぐ、正面視Ｌ字状の一対のパリソンピンチ２２Ａ，２２Ｂと、図示を省略されているが、押出機１１の筐体内に設けられ、パリソンピンチ２２Ａ，２２Ｂを回動させるパリソンピンチ駆動部（２３）とで構成されている。
【００４１】
３１は気体注入機構を示し、押出機１１から押し出され、先端を塞がれたパリソン６１内へ、パリソン６１内が負圧になってパリソン６１がくっついたりしないようにパリソン６１を円筒形状に保たせるための気体を注入できるように、押出機１１の筐体内に設けられている。
【００４２】
４１は金型を示し、図示を省略した金型駆動機構（５１）によって接離するように駆動される一対の金型盤４２Ａ，４２Ｂと、この金型盤４２Ａ，４２Ｂの対向する面に取り付けられた、左右の２つに分割された分割金型４３Ａ，４３Ｂと、この分割金型４３Ａ，４３Ｂに対して出入りする枠４４Ａ，４４Ｂと、この枠４４Ａ，４４Ｂを分割金型４３Ａ，４３Ｂに対して出入りさせる枠駆動機構としてのエアーシリンダ４５Ａ，４５Ｂとで構成されている。
【００４３】
上記した枠４４Ａ，４４Ｂは、左右の面が開放した、側面視ロ字状（四角形）に構成されている。
【００４４】
また、この枠４４Ａ，４４Ｂを収容する分割金型４３Ａ，４３Ｂは、枠４４Ａ，４４Ｂが前後動できるように略ロ字状（四角形）の溝が設けられ、この溝の内側にキャビティを形成する部分（内面形状）が設けられている。
【００４５】
次に、成形について説明する。
【００４６】
まず、図５に示すように、パリソンピンチ駆動部（２３）を作動させてパリソンピンチ２２Ａ，２２Ｂを拡開させ、金型駆動機構（５１）を作動させて金型盤４２Ａ，４２Ｂを離間させるとともに、エアーシリンダ４５Ａ，４５Ｂを作動させて枠４４Ａ，４４Ｂを分割金型４３Ａ，４３Ｂに対して突出させる。
【００４７】
この状態で、図６に示すように、押出機１１から加熱溶融させた熱可塑性樹脂を円筒状に押し出してパリソン６１を形成する。
【００４８】
次に、パリソン６１の下端部分をパリソンピンチ２２Ａ，２２Ｂで挟んで塞ぐことができる長さにパリソン６１が押し出されたならば、図７に示すように、パリソンピンチ駆動機構（２３）を作動させ、パリソンピンチ６１の下端部分をパリソンピンチ２２Ａ，２２Ｂで挟んで塞いで閉塞部分６２を形成した後、図８に示すように、パリソンピンチ駆動機構（２３）を作動させてパリソンピンチ２２Ａ，２２Ｂをパリソン６１に接触しないように離間させるとともに、気体注入機構３１を作動させてパリソン６１内へ気体、例えば、空気を大気圧で注入しながら押出機１１からパリソン６１をさらに押し出す。
【００４９】
そして、図９に示すように、パリソン６１の閉塞部分６２が分割金型４３Ａ，４３Ｂから下側へはみ出す状態まで押出機１１からパリソン６１を押し出したならば、押出機１１を停止させてパリソン６１の押し出しを中止し、気体注入機構３１を停止させてパリソン６１内への気体の注入を停止させるとともに、金型駆動機構（５１）を作動させて金型盤４２Ａ，４２Ｂを接近させることにより、図１０に示すように、枠４４Ａ，４４Ｂでパリソン６１の上下を挟み込む。
【００５０】
このようにパリソン６１の上下を枠４４Ａ，４４Ｂで挟み込むと、枠４４Ａ，４４Ｂ内のパリソン６１は両端を塞がれたことによって最大限に膨らむ。
【００５１】
このようにパリソン６１の上下を枠４４Ａ，４４Ｂで挟み込んだ状態から、図１１に示すように、分割金型４３Ａ，４３Ｂもパリソン６１の上下を挟み込むように金型駆動機構（５１）で金型盤４２Ａ，４２Ｂを移動させて分割金型４３Ａ，４３Ｂを移動させると、枠４４Ａ，４４Ｂが分割金型４３Ａ，４３Ｂ内へ後退することにより、枠４４Ａ，４４Ｂ内のパリソン６１は外側を分割金型４３Ａ，４３Ｂのキャビティを形成する内面で押されるとともに、内面をパリソン６１内の気体の内圧によって分割金型４３Ａ，４３Ｂのキャビティを形成する内面へと押され、キャビティを形成する内面形状がパリソン６１へ転写される。
【００５２】
なお、分割金型４３Ａ，４３Ｂでハリソン６１を挟み込む場合、エアーシリンダ４５Ａ，４５Ｂが壊れないように、分割金型４３Ａ，４３Ｂの接近に応じてエアーシリンダ４５Ａ，４５Ｂで枠４４Ａ，４４Ｂを分割金型４３Ａ，４３Ｂ内へ後退させたり、分割金型４３Ａ，４３Ｂが閉じるまでの間にエアーシリンダ４５Ａ，４５Ｂで枠４４Ａ，４４Ｂを分割金型４３Ａ，４３Ｂ内へ後退させればよい。
【００５３】
そして、所定時間の後、金型駆動機構（５１）を作動させて金型盤４２Ａ，４２Ｂを図５に示すように離間させることにより、周囲にバリのついた成形品を金型４１から取り出すことができる。
【００５４】
このように金型４１から周囲にバリのついた成形品を取り出す場合、押出機１１の下側に連なるパリソン６１も一緒に取り除かれる。
【００５５】
なお、押出機１１と金型４１との間のパリソン６１が冷えた場合などは、押出機１１の下側のパリソン６１を千切って取り除けばよい。
【００５６】
次に、金型４１から取り出し成形品のバリを取り除くことにより、所望の製品とすることができる。
【００５７】
以後は、同様にして成形することができる。
【００５８】
上述したように、本発明の一実施例によれば、気体を注入したパリソン６１を金型４１で挟み込み、パリソン６１内に閉じ込めた気体で内圧を掛けて金型６１の内面形状をパリソン６１へ転写するので、細いピンや針などを使用して型締めした後のパリソン６１内へ気体を注入する必要がなく、肉厚の薄い製品を安価に効率よく成形することができるとともに、内部が中空の密閉成形品を成形することができる。
【００５９】
そして、金型４１に枠４４Ａ，４４Ｂを設けたので、挟み込んだパリソン６１内に多くの気体を収容させることができることにより、気体の内圧でパリソン６１を、分割金型４３Ａ，４３Ｂのキャビティを形成する内面へ確実に押し付けることができ、所望の形状の成形品を確実に成形することができる。
【００６０】
上記した実施例では、金型４１に枠４４Ａ，４４Ｂを設けた例を示したが、枠４４Ａ，４４Ｂを設けなくとも、同様に成形することができる。
【００６１】
このように成形した断熱内扉３の商品搬出口８に配置した商品搬出扉７０は、空気層７ｄを形成した中空部７１を持ったことにより、自身の重量を殆ど増加させることなく高い断熱性を確保でき、冷却／加熱ユニット６から前方に吹出した冷気流または暖気流が商品搬出扉７０に当ってもこの商品搬出扉７０を熱伝達経路として庫外と庫内の間で出入する熱損失を低く抑えることが可能となり、それだけ冷却／加熱ユニット６の熱負荷を減少して自動販売機のランニングコストを抑えることができる。
【００６２】
また、商品搬出扉７０は冷却／加熱ユニット６によって冷却または加熱されるとともに庫内ファン６ｃによって吹出される吹出し直後の空気が直接当り、扉内外の温度差が最も大きくなる位置に配置され、庫内外の温度差は大きいが、商品搬出扉７０の断熱性能が高いことから商品搬出扉７０の表面に露がつくのを防止できる。したがって、従来装置のように商品搬出扉７０に付着した露が商品取出口２ａに滴下することもない。
【００６３】
（実施の形態２）
次に、本発明の実施の形態２を図１２、図１３に示す実施例に基づいて説明する。図１２は本発明の請求項３から請求項６に対応した実施例を示す本発明の実施の形態２の商品搬出扉の斜視図であり、図１３は本発明の請求項３から請求項６に対応した実施例を示す本発明の実施の形態２の商品搬出扉の要部分解構成図である。
【００６４】
図１２において、７０は断熱内扉３の商品搬出口８に配置される商品搬出扉を示す。この商品搬出扉７０は実施の形態１に示した成形により空気層７ｄを形成した中空部７１が形成されている。中空部７１の外周部には周縁部７２を形成していて、周縁部７２は、中空部７１の下辺に形成された下辺部７２ａと中空部７１の左右両側に形成された縦縁部７２ｂとからなり、縦縁部７２ｂの上端の左右には軸部７ｃが形成されている。
【００６５】
また、下辺部７２ａの幅Ｗｈが縦縁部７２ｂの幅Ｗｗより大きくなるように、下辺部７２ａは商品搬出口１０の下方へ拡幅して延在している。
【００６６】
さらに、周縁部７２の下辺部７２ａには切欠き部７３が形成され、切欠き部７３の内側角部７３ａは円弧形状としている。
【００６７】
一方、商品搬出口１０には、商品が通り抜ける開口部１０ａと、開口部１０ａの周囲には搬出口縁１０ｂと枠１０ｃが形成され、枠１０ｃに設けた軸受け部１０ｄに商品搬出扉７０の軸部７ｃを軸支して揺動可能に取付けられる。
【００６８】
次に、動作について説明する。
【００６９】
従来技術同様に、商品収納ラック４から払出された商品が商品搬出シュータ５を転動して商品取出口２ａに搬出される過程で商品１０により押し開かれた商品搬出扉７０は商品１０が通過した後自重で復帰して商品搬出口８の開口部１０ａを閉塞することにより商品搬出口８を閉塞する。
【００７０】
ここで、下辺部７２ａは当接幅Ｗｈ、縦縁部７２ｂは当接幅Ｗｗの幅でもって商品搬出口縁１０ｂに面当接することにより、商品搬出扉７０は商品搬出口縁１０ｂへの当接封止面積を大きく有して商品搬出口８を閉塞するので、冷気流または暖気流が周縁部７２と商品搬出口縁１０ｂとの界面からの流出に対する閉塞封止性が向上する。
【００７１】
また、図１４に示す本発明の実施の形態２の商品搬出扉の要部断面図を参照して、商品取出口２ａから手を入れて商品搬出扉７０を開いて、さらに奥に手をこじ入れて商品収納室内部をいたずらされそうになった場合を説明する。
【００７２】
いたずらは、商品搬出扉７０を開いて商品取出口２ａとの隙間から手などを入れていたずらされる。
【００７３】
下辺部７２ａは商品搬出口１０の下方へ長さｈ´を拡幅して延在したことによって、商品取出口２ａと商品搬出扉７０との隙間となる長さｈ０は、ｈ０からｈ´の分だけ短くなったｈとなる。
【００７４】
これによって商品取出口２ａと商品搬出扉７０との隙間となる長さを短くすることが出きるので、商品取出口２ａから商品搬出扉７０を開いて、その隙間からさらに奥に手をこじ入れて商品収納室内部へのいたずらを防ぐことが出きる。
【００７５】
また、図１５に示す本発明の実施の形態２の商品搬出扉の要部外観図を参照して、商品１０が搬出された場合を説明する。
【００７６】
場合によれば、商品１０が商品搬出扉７０を押し開いただけの状態で商品取出口２ａに到達する場合もあり得るが、この時でも下辺部７２ａに形成された切欠き部７３を介して商品を直視可能となる。
【００７７】
さらに、図中２点鎖線に沿って商品搬出扉７０を切欠き部７３から曲げて破壊されそうな場合でも、内側角部７３ａは円弧形状であるので、曲げ応力に対して図中の矢印の如く応力分散させるので、内側角部７３ａから商品搬出扉７０が破壊される事は無い。
【００７８】
上述したように、本発明の実施の形態２によれば、周縁部が商品搬出口縁と当接するので商品搬出口の閉塞封止性が向上し、商品搬出扉周端部分を熱伝達経路として庫外と庫内の間で出入する熱損失を低く抑えることが可能となり、それだけ冷却／加熱ユニット６の熱負荷を減少して自動販売機のランニングコストを抑えることができる。
【００７９】
また、下辺の縁は他の辺に比べて下方に拡幅して延在したので、商品搬出部から手をこじ入れて商品収納室内部をいたずらされることを防ぐ。
【００８０】
また、下辺の縁に切欠き部を形成したので、商品収納室内部をいたずらされることを防ぐ必要の無い部分については、商品の視認性を向上させる。
【００８１】
さらには、下辺の縁に形成した切欠き部の角部分は先端を円弧形状としたので、商品搬出扉自身をいたずらされても切欠き部の角部分からの破損を防止する。
【００８２】
（実施の形態３）
次に、本発明の実施の形態３を図１６に示す実施例に基づいて説明する。図１６は本発明の請求項７に対応した実施の形態３を示す商品搬出扉の斜視図である。
【００８３】
図において、７０は断熱内扉３の商品搬出口８に配置された商品搬出扉を示す。この商品搬出扉７０は実施の形態１に示した成形により空気層７ｄを形成した中空部７１が形成されている。中空部７１の外周部には周縁部７２を形成していて、周縁部７２の上端の左右には軸部７ｃが形成されている。
【００８４】
一方、商品搬出口８には、本発明の実施の形態２と同様で、商品１０が通り抜ける開口部１０ａと、開口部１０ａの周囲には商品搬出口縁１０ｂと枠１０ｃが形成され、枠１０ｃに商品搬出扉７０の軸部７ｃを軸支して揺動可能に取付けられる。
【００８５】
ここで、周縁部７２の商品搬出口縁１０ｂへの当接面側にはシール部材７４を形成している。このシール部材７４は、例えば厚み数ｍｍのエラストマー樹脂や軟質発泡樹脂を材料としていて、シール部材７４自身が圧縮変形されやすい軟質性を高く保有して被当接部材への形状追従性良く成形して周縁部７２に接合一体化されている。
【００８６】
次に、動作について説明する。
【００８７】
従来技術や本発明の実施の形態２と同様に、商品収納ラック４から払出された商品１０が商品搬出シュータ５を転動して商品取出口２ａに搬出される過程で商品１０により押し開かれた商品搬出扉７０は商品１０が通過した後自重で復帰して商品搬出口８の開口部１０ａを閉塞することにより商品搬出口８を閉塞する。
【００８８】
ここで、下辺部７２ａは当接幅Ｗｈ´、縦縁部７２ｂは当接幅Ｗｗ´なる被覆幅にて商品搬出出口縁１０ｂに面当接することによる商品搬出扉７０は商品搬出口８への当接封止面積を大きく有して商品搬出口８を閉塞する。
【００８９】
さらに本発明の実施の形態３によれば、周縁部７２や商品搬出口縁１０ｂの平面度が悪化することによって、商品搬出扉７０と商品搬出口８との間に隙が生じるなどの当接封止状態が悪化した場合においても、商品搬出扉７０が自重で閉塞する際にはシール部材７４自身が商品搬出扉７０と商品搬出口８の商品搬出口縁１０ｂとの間で圧縮されて変形し、商品搬出口縁１０ｂの形状に追従しながら商品搬出口８を圧縮封止して閉塞するので、冷気流または暖気流が周縁部７２と商品搬出口縁１０ｂとの界面からの流出に対する閉塞封止性が向上する。
【００９０】
またさらに、シール部材７４が間に介在して圧縮変形するので、商品搬出扉７０は商品搬出口縁１０ｂに直接衝突せず、商品搬出扉７０の閉塞衝撃を緩和して閉塞時の衝突音を低減する。
【００９１】
上述したように、本発明の実施の形態３によれば、商品搬出扉７０と商品搬出口８との当接面の平面度が悪化しても商品搬出扉７０の縁に設けたシール部材７４の圧縮封止効果により商品搬出扉７０と商品搬出口８との封止性を一層高めることができるので、商品搬出扉周端部分を熱伝達経路として庫外と庫内の間で出入する熱損失を低く抑えることが可能となり、それだけ冷却／加熱ユニット６の熱負荷を減少して自動販売機のランニングコストを抑えることができ、さらに、商品搬出扉７０の閉塞時の衝突音を低減させる。
【産業上の利用可能性】
【００９２】
本発明の自動販売機は、扉自身の重量を殆ど増加させることなく高い断熱性を確保でき、冷却／加熱ユニットの熱負荷を減少して自動販売機のランニングコストを抑えることができるので、自動販売機以外の他の冷却機器にも適用できる。
【図面の簡単な説明】
【００９３】
【図１】本発明の自動販売機の庫内構成側面断面図
【図２】本発明の自動販売機の庫内構成正面断面図
【図３】本発明の実施の形態１の商品搬出扉の斜視図
【図４】本発明の実施の形態１の商品搬出扉の断面図
【図５】本発明の実施の形態１のブロー成形装置の概略構成図
【図６】本発明の実施の形態１のパリソン押出工程図
【図７】本発明の実施の形態１のパリソン閉塞工程図
【図８】本発明の実施の形態１のパリソン気体注入工程図
【図９】本発明の実施の形態１のパリソン成形工程図
【図１０】本発明の実施の形態１のパリソン成形時の枠駆動機構動作図
【図１１】本発明の実施の形態１のパリソン成形時の分割金型動作図
【図１２】本発明の実施の形態２の商品搬出扉の斜視図
【図１３】本発明の実施の形態２の商品搬出扉の要部分解構成図
【図１４】本発明の実施の形態２の商品搬出扉の要部断面図
【図１５】本発明の実施の形態２の商品搬出扉の要部外観図
【図１６】本発明の実施の形態３の商品搬出扉の斜視図
【図１７】従来の自動販売機の庫内構成側面断面図
【図１８】従来の自動販売機の庫内構成正面断面図
【図１９】従来の商品搬出扉の斜視図
【図２０】従来の商品搬出扉の断面図
【符号の説明】
【００９４】
１    本体ケース
３    断熱内扉
４    サーペンタイン式商品収納ラック（商品収納ラック）
５    商品搬出シュータ
６    冷却／加熱ユニット
６ａ  冷却器
６ｂ  ヒータ
６ｃ  庫内ファン
７    商品搬出扉
７ａ  前面壁
７ｂ  側面壁
７ｃ  軸部
７ｄ  空気層
８    商品搬出口
９    吸込みダクト
１０  商品
１０ｂ  商品搬出口縁
１１  押出機
２１  パリソン閉塞機構
３１  気体注入機構
４１  金型
６１  パリソン
７０  商品搬出扉
７１  中空部
７２  周縁部
７２ａ  下辺部
７２ｂ  縦縁部
７３  切欠き部
７３ａ  角部
７４  シール部材
【図１】
2007102679.tif 000003
【図２】
2007102679.tif 000004
【図３】
2007102679.tif 000005
【図４】
2007102679.tif 000006
【図５】
2007102679.tif 000007
【図６】
2007102679.tif 000008
【図７】
2007102679.tif 000009
【図８】
2007102679.tif 000010
【図９】
2007102679.tif 000011
【図１０】
2007102679.tif 000012
【図１１】
2007102679.tif 000013
【図１２】
2007102679.tif 000014
【図１３】
2007102679.tif 000015
【図１４】
2007102679.tif 000016
【図１５】
2007102679.tif 000017
【図１６】
2007102679.tif 000018
【図１７】
2007102679.tif 000019
【図１８】
2007102679.tif 000020
【図１９】
2007102679.tif 000021
【図２０】
2007102679.tif 000022